(57)【要約】      （修正有）【課題】スライドレール組立体及びスライドレールキットを提供する。【解決手段】スライドレール組立体は、第１レール２４、第２レール２６、第１機構５４、第２機構５６及び解除接続ロッド５８を備えている。第２レールは第１端４０と、第２端４２と、第１端及び第２端の間に配列された複数のスロット４８，５０，５１とを有する。第１機構は、スロットの一つを非開放状態にする連動部６２を有する。第２機構は、ブロック部材６６，７６を有する。第２レールが伸長位置にあるときに、ブロック部材はブロック部分３４と対応するので、第２レールは一方向で伸長位置から移動することができない。解除接続ロッドは、第１端と第１機構との間に配置された操作部６８を備えている。ブロック部材の位置から移動するように解除接続ロッドがブロック部材を駆動するように、操作部は操作される構成である。【選択図】図２
2019195608.tif 000002
【特許請求の範囲】
【請求項１】
ブロック部分を備えている第１レールと、
前記第１レールに対して可動であり、第１端と、第２端と、前記第１端及び前記第２端の間に配置された複数のスロットとを有する第２レールと、
前記第２レールに配置されている第１機構であって、該第１機構は、弾性部材と、前記弾性部材の弾性力に応答して前記第２レールの前記複数のスロットの一つへ部分的に伸長される連動部とを有し、前記連動部は、第１経路で前記第２レールの前記複数のスロットの一つから遠ざかって移動するように操作される構成である、第１機構と、
前記第２レールに配置されている第２機構であって、該第２機構は、弾性部分及びブロック部材を有し、前記ブロック部材は、前記弾性部分の弾性力に応答してブロック位置に保持されるように構成され、前記第２レールの前記ブロック部材は、前記第２レールが前記第１レールに対して伸長位置に移動されたときに、前記ブロック位置にあって前記第１レールの前記ブロック部分と対応し、これにより前記第２レールは、所定方向で前記第１レールに対して前記伸長位置から移動することが不能になる、第２機構と、
前記第２レールの前記第１端と前記第１機構との間に配置された操作部を有する解除接続ロッドであって、前記操作部は、第２経路で該解除接続ロッドを移動させるように操作される構成であり、これにより前記ブロック位置から移動するように前記第２機構の前記ブロック部材を駆動し、前記第１レールの前記ブロック部分に対応しなくさせる、解除接続ロッドとを備えている、スライドレール組立体。
【請求項２】
前記複数のスロットが前記第２レールの長手方向に配列され、前記複数のスロットは第１スロットと第２スロットとを含み、前記第１スロットは前記第２レールの前記第１端に近接して位置し、前記第２スロットは前記第１機構に近接して位置している請求項１記載のスライドレール組立体。
【請求項３】
前記第２レールは、第１壁と、第２壁と、前記第１壁及び前記第２壁の間に接続された長手方向壁とを備え、前記解除接続ロッドは、前記第２レールの前記長手方向壁の長手方向に配置され、前記第１機構の前記連動部は、前記第２レールの前記長手方向壁に対して揺動し、また前記解除接続ロッドに近接して位置している請求項１記載のスライドレール組立体。
【請求項４】
前記解除接続ロッドと前記連動部との一方はノッチを有し、前記解除接続ロッドと前記連動部とのもう一方は凹部を有し、また前記第１経路で前記第２レールの前記複数のスロットのうちの一つから遠ざかって前記連動部が移動するように操作される過程の間に、前記連動部は、前記凹部及び前記ノッチの配置によって前記解除接続ロッドと干渉することが防止される構成であり、これにより前記連動部は前記第１経路で前記解除接続ロッドでブロックされないようになっている請求項１記載のスライドレール組立体。
【請求項５】
ブロック部分を備えている第１レールと、
前記第１レールに対して可動であり、第１端と、第２端と、前記第１端及び前記第２端の間に配置された複数のスロットとを有する第２レールと、
前記第２レールに配置されている第１機構であって、該第１機構は、弾性部材と、前記弾性部材の弾性力に応答して前記第２レールの前記複数のスロットの一つの一方の側部を非開放状態にするように構成された連動部とを有し、前記連動部は、前記第２レールの前記複数のスロットの一つを非開放状態にせずに第１経路で移動するように操作される構成である、第１機構と、
前記第２レールに配置されている第２機構であって、該第２機構は、ブロック部材を有し、該第２機構の前記ブロック部材は、前記第２レールが前記第１レールに対して伸長位置に移動されたときに、ブロック位置にあって前記第１レールの前記ブロック部分と対応し、これにより前記第２レールは、所定方向で前記第１レールに対して前記伸長位置から移動することが不能になる、第２機構と、
前記第２レールの前記第１端と前記第１機構との間に配置された操作部を有する解除接続ロッドであって、前記操作部は、第２経路で該解除接続ロッドを移動させるように操作される構成であり、これにより前記ブロック位置から移動するように前記第２機構の前記ブロック部材を駆動し、前記第１レールの前記ブロック部分に対応しなくさせる、解除接続ロッドとを備えている、スライドレール組立体。
【請求項６】
前記第２レールは、第１壁と、第２壁と、前記第１壁及び前記第２壁の間に接続された長手方向壁とを備え、前記解除接続ロッドは、前記第２レールの前記長手方向壁の長手方向に配置され、前記第１機構の前記連動部は、前記第２レールの前記長手方向壁に対して揺動し、また前記解除接続ロッドに近接して位置している請求項５記載のスライドレール組立体。
【請求項７】
前記解除接続ロッドと前記連動部との一方はノッチを有し、前記解除接続ロッドと前記連動部とのもう一方は凹部を有し、また前記第１経路で前記連動部が移動するように操作される過程の間に、前記連動部は、前記凹部及び前記ノッチの配置によって前記解除接続ロッドと干渉することが防止される構成であり、これにより前記連動部は前記第１経路で前記解除接続ロッドでブロックされないようになっている請求項５記載のスライドレール組立体。
【請求項８】
第１端と、第２端と、前記第１端及び前記第２端の間に配置された複数のスロットとを有し、第１壁と、第２壁と、前記第１壁及び前記第２壁の間に接続された長手方向壁とを備えているレールと、
前記レールに配置されている第１機構であって、該第１機構は、弾性部材と、前記弾性部材の弾性力に応答して前記レールの前記複数のスロットの一つの一方の側部を非開放状態にするように構成された連動部とを有し、前記連動部は、前記レールの前記複数のスロットの一つを非開放状態にせずに第１経路で移動するように操作される構成である、第１機構と、
前記レールに配置されている第２機構であって、ブロック部材を有し、前記ブロック部材が、ブロック位置にあるように構成されている第２機構と、
前記レールに操作用に配置され、操作部を有する解除接続ロッドであって、前記操作部は、第２経路で該解除接続ロッドを移動させるように操作される構成であり、これにより前記ブロック位置から移動するように前記第２機構の前記ブロック部材を駆動する、解除接続ロッドとを備え、
前記解除接続ロッドは、前記レールの前記長手方向壁の長手方向に配置され、前記第１機構の前記連動部は、前記レールの前記長手方向壁に対して揺動し、前記解除接続ロッドに近接して位置し、また前記連動部が前記第１経路で移動するように操作される過程の間に、前記連動部は前記解除接続ロッドと干渉することが防止される構成である、スライドレールキット。
【請求項９】
前記解除接続ロッドと前記連動部との一方はノッチを有し、前記第１経路で前記連動部が移動するように操作される過程の間に、前記連動部は、前記ノッチの配置によって前記解除接続ロッドと干渉することが防止される構成である請求項８記載のスライドレールキット。
【請求項１０】
前記解除接続ロッドと前記連動部との一方は凹部を有し、前記第１経路で前記連動部が移動するように操作される過程の間に、前記連動部は、前記凹部の配置によって前記解除接続ロッドと干渉することが防止される構成である請求項８記載のスライドレールキット。
【発明の詳細な説明】
【技術分野】
【０００１】
本発明は、スライドレール組立体に関し、さらに詳しくは、スライドレールのメンテナンスを容易にするために、ユーザーが容易に他の物品を操作することを可能にする解除接続ロッドを備えているスライドレール組立体に関する。
【背景技術】
【０００２】
米国特許９，６７０，９５６号公報にスライド組立体（２０）が開示されている。これは、互いに伸縮可能に係合された外スライド片（２２）、中間スライド片（２４）及び内スライド片（２６）を備えている。この特許公報の図１２，１４に示すように、内スライド片（２６）は、内スライド片（２６）に設けられた複数のスロット（１５０）の一つに対応するロック機構（１６０）を備えている。複数のスロット（１５０）は、サーバーに設けられた複数の取り付けピンを受け入れるように構成されている。このロック機構（１６０）のバネアーム（１６２）の一端（例えば後端）が、締結部によって内スライド片（２６）に結合されている。ロック機構（１６０）のバネアーム（１６２）は、スロット（１５０）内の取り付けピンの一つを選択的に、取り付け、又は制約することが可能である。
【０００３】
しかし、マウントの過程の間には、サーバーの複数の取り付けピンのこのような構造によれば、サーバーは内スライド片（２６）よりも上方に持ち上げ、その後にスロット（１５０）内に落とし込み、取り付けピンによってロック機構（１６０）のバネアーム（１６２）を付勢する必要がある（又は、ロック機構（１６０）のバネアーム（１６２）を）を予め手動動作で移動させてもよい）。このようにサーバーは内スライド片（２６）にマウントでき、ロック機構（１６０）を介して内スライド片（２６）から容易に取り外されることが防止されている。
【発明の概要】
【０００４】
上述の特許公報でのロック機構（１６０）の操作は解除機構（９４）の操作に干渉しないが、解除機構（９４）を操作するためにはロック機構（１６０）を横切る必要がある。従って、スライド組立体（２０）は作動中に円滑に動作していない。
【０００５】
本発明は、スライドレールのメンテナンスを容易にするために、ユーザーが容易に他の物品を操作することを可能にする解除接続ロッドを備えているスライドレール組立体に関する。
【０００６】
本発明の実施形態によれば、スライドレール組立体は、第１レール、第２レール、第１機構、第２機構及び解除接続ロッドを備えている。第１レールは、ブロック部分を備えている。第２レールは、第１レールに対して可動であり、第１端と、第２端と、第１端及び第２端の間に配置された複数のスロットとを有する。第１機構は、第２レールに配置され、弾性部材と、弾性部材の弾性力に応答して第２レールの複数のスロットの一つへ部分的に伸長される連動部とを有する。連動部は、第１経路で第２レールの複数のスロットの一つから遠ざかって移動するように操作される構成である。第２機構は、第２レールに配置され、弾性部分及びブロック部材を有する。ブロック部材は、弾性部分の弾性力に応答してブロック位置に保持されるように構成され、第２レールのブロック部材は、第２レールが第１レールに対して伸長位置に移動されたときに、ブロック位置にあって第１レールのブロック部分と対応し、これにより第２レールは、所定方向で第１レールに対して伸長位置から移動することが不能になる。解除接続ロッドは、第２レールの第１端と第１機構との間に配置された操作部を有する。操作部は、第２経路で解除接続ロッドを移動させるように操作される構成であり、これによりブロック位置から移動するように第２機構のブロック部材を駆動し、第１レールのブロック部分に対応しなくさせる。
【０００７】
本発明の他の実施形態によれば、スライドレール組立体は、第１レール、第２レール、第１機構、第２機構及び解除接続ロッドを備えている。第１レールは、ブロック部分を備えている。第２レールは、第１レールに対して可動であり、第１端と、第２端と、第１端及び第２端の間に配置された複数のスロットとを有する。第１機構は、第２レールに配置され、弾性部材と、弾性部材の弾性力に応答して第２レールの複数のスロットの一つの一方の側部を非開放状態にするように構成された連動部とを有する。連動部は、第２レールの複数のスロットの一つを非開放状態にせずに第１経路で移動するように操作される構成である。第２機構は、第２レールに配置され、ブロック部材を有する。第２機構のブロック部材は、第２レールが第１レールに対して伸長位置に移動されたときに、ブロック位置にあって第１レールのブロック部分と対応し、これにより第２レールは、所定方向で第１レールに対して伸長位置から移動することが不能になる。解除接続ロッドは、第２レールの第１端と第１機構との間に配置された操作部を有する。操作部は、第２経路で解除接続ロッドを移動させるように操作される構成であり、これによりブロック位置から移動するように第２機構のブロック部材を駆動し、第１レールのブロック部分に対応しなくさせる。
【０００８】
本発明の他の実施形態によれば、スライドレールキットは、レール、第１機構、第２機構及び解除接続ロッドを備えている。レールは、第１端と、第２端と、第１端及び第２端の間に配置された複数のスロットとを有し、第１壁と、第２壁と、第１壁及び第２壁の間に接続された長手方向壁とを備えている。第１機構は、レールに配置され、弾性部材と、弾性部材の弾性力に応答してレールの複数のスロットの一つの一方の側部を非開放状態にするように構成された連動部とを有する。連動部は、レールの複数のスロットの一つを非開放状態にせずに第１経路で移動するように操作される構成である。第２機構は、レールに配置され、ブロック部材を有する。ブロック部材は、ブロック位置にあるように構成されている。解除接続ロッドは、レールに操作用に配置され、操作部を有する。操作部は、第２経路で解除接続ロッドを移動させるように操作される構成であり、これによりブロック位置から移動するように第２機構のブロック部材を駆動する。解除接続ロッドは、レールの長手方向壁の長手方向に配置され、第１機構の連動部は、レールの長手方向壁に対して揺動し、解除接続ロッドに近接して位置し、また連動部が第１経路で移動するように操作される過程の間に、連動部は解除接続ロッドと干渉することが防止される構成である。
【図面の簡単な説明】
【０００９】
本発明のこれらの、また他の目的は、様々な図及び図面に例示されている好ましい実施形態に関する下記の詳細な説明を読めば、当業者に確実に明らかになることである。
【００１０】
【図１】本発明の実施形態に係り、載せる物品をラックに取り付けることが可能なスライドレール組立体を示す図である。
【図２】本発明の実施形態に係るスライドレール組立体を示す分解図である。
【図３】本発明の実施形態に係るスライドレール組立体のスライドレールキットを示す図である。
【図４】図３の領域Ａの拡大図であり、連動部がスロットに対してブロック位置にあることを示す。
【図５】本発明の実施形態に係り、スロットに対して別の位置にあるスライドレール組立体の連動部を示す図である。
【図６】本発明の実施形態に係り、後退状態にあるスライドレール組立体を示す図である。
【図７】本発明の実施形態に係るスライドレール組立体の第１レール及び第２レールであって、第３レールに対して第１方向に移動された第１レール及び第２レールを示す図である。
【図８】本発明の実施形態に係るスライドレール組立体の第２レールであって、第１レールに対して第１方向にさらに移動された第２レールを示す図である。
【図９】本発明の実施形態に係るスライドレール組立体の第２レールであって、第１レールに対して第１方向に伸長位置までさらに移動された第２レールを示す図である。
【図１０】本発明の実施形態に係り、伸長状態にあるスライドレール組立体と、移動するように操作された解除接続ロッドとを示す図である。
【図１１】本発明の実施形態に係り、伸長状態にあるスライドレール組立体と、載せる物品の取り付け部を第２レールのスロット中に規制する構成の連動部とを示す図である。
【図１２】本発明の実施形態に係り、伸長状態にあるスライドレール組立体と、第２レールに対して第１方向にわずかに移動している載せる物品とを示す図である。
【図１３】本発明の実施形態に係り、伸長状態にあるスライドレール組立体と、取り付け部を第２レールのスロット中に規制せずに移動するように操作された連動部とを示す図である。
【図１４】本発明の実施形態に係り、伸長状態にあるスライドレール組立体と、第２レールから取り外されている載せる物品とを示す図である。
【発明を実施するための形態】
【００１１】
図１，２はラックシステムを示す。この中では載せる物品２０が、スライドレール組立体２２を介してラック２３に取り付けられていてよい。載せる物品２０は、電子機器、シャーシ又は引き出しであってよい。スライドレール組立体２２は、第１レール２４と、第１レール２４に対して長手方向に可動な第２レール２６とを備えている。好ましくはスライドレール組立体２２は、さらに第３レール２８を備えている。この第１レール２４は、第３レール２８と第２レール２６との間で可動に取り付けられている。
【００１２】
第３レール２８は、第１ブラケット３０及び第２ブラケット３２を介して、ラック２３の第１柱２３ａと第２柱２３ｂとに取り付けられていてよい。さらに、第３レール２８は通路２１を有する。
【００１３】
第１レール２４は、第３レール２８の通路２１中に可動に取り付けられている。第１レール２４はブロック部分３４が設けられている。ブロック部分３４は、第１レール２４の第１端３６（例えば前端）と第２端３８（例えば後端）との間に位置する。好ましくはブロック部分３４は突起であり、第１レール２４の第１端３６に近接して位置する（ａｄｊａｃｅｎｔ）。ブロック部分３４は第１レール２４と一体に形成されていてもよいし、本実施形態では、ブロック部分３４を備えた付加的構成要素が第１レール２４に固着されていてよい。さらに第１レール２４は、第１側壁２４ａ、第２側壁２４ｂ、及び第１側壁２４ａ，第２側壁２４ｂの間に接続された横壁３７を備えている。取り付け通路３９が第１側壁２４ａ，第２側壁２４ｂと横壁３７とで規定され、第２レール２６を収容する。
【００１４】
図２，３に示すように、第２レール２６は、第１端４０，第２端４２、及び第１端４０，第２端４２の間に位置する複数のスロット（例えば、第１スロット４８，第２スロット５０，第３スロット５１）を備えている。第１スロット４８，第２スロット５０，第３スロット５１はそれぞれ、載せる物品２０の側面にある複数の取り付け部（例えば、図１に示した第１取り付け部５２ａ，第２取り付け部５２ｂ，第３取り付け部５２ｃ）が対応して取り付けられるように構成されている。二つの近接して位置するスロット、例えば第１スロット４８，第２スロット５０の間には所定距離Ｘが、第２レール２６の長手方向に規定される。本実施形態では、第１スロット４８は第２スロット５０と実質的に同じ形状であり、第１スロット４８は第２レール２６の第１端４０に近接して位置している。さらに第２レール２６は、第１壁２６ａ，第２壁２６ｂ，及び第１壁２６ａ，第２壁２６ｂの間に接続された長手方向壁２７を備えている。第２レール２６の第１壁２６ａ，第２壁２６ｂ，長手方向壁２７はそれぞれ、第１レール２４の第１側壁２４ａ，第２側壁２４ｂ，横壁３７に対応する。
【００１５】
スライドレール組立体２２は、第１機構５４，第２機構５６，解除接続ロッド５８を備えている。この第２レール２６，第１機構５４，第２機構５６，解除接続ロッド５８はスライドレールキットをなすように構成されている。
【００１６】
第１機構５４は、第２レール２６に配置され、第２スロット５０に近接して位置している。第１機構５４は弾性部材６０と連動部６２とを備えている。連動部６２は、弾性部材６０の弾性力に応答して第２レール２６の第２スロット５０に向けて部分的に伸長されることができる（さらに図４参照）。好ましくは連動部６２は、第１軸６１を中心として、第２レール２６の長手方向壁２７に対して揺動されるものであり、解除接続ロッド５８に近接して位置する。
【００１７】
第２機構５６は第２レール２６に配置されている。第２機構５６は、第１ブロック部材６６を備えている。好ましくは第２機構５６は、さらに第１弾性部分６４を備えている。本実施形態では、取り付け座６５が第１弾性部分６４を有し、第２レール２６に固着されている。第１ブロック部材６６は、第１弾性部分６４の弾性力に応答して、ブロック位置に保持されるように構成されている。好ましくは第１ブロック部材６６は、第２軸６３を中心として、第２レール２６の長手方向壁２７に対して揺動する。好ましくは第２機構５６は、第１機構５４と第３スロット５１との間に配置されている。好ましくは第２機構５６は、さらに第２ブロック部材７６を備え、第２ブロック部材７６は第２レール２６の長手方向壁２７に対して揺動する。さらに取り付け座６５は、第２弾性部分７８を備えている。第２ブロック部材７６は、第２弾性部分７８の弾性力に応答して、所定位置に保持されるように構成されている。
【００１８】
解除接続ロッド５８は、操作用に第２レール２６に配置されている。解除接続ロッド５８は、第２レール２６の第１端４０（例えば前端）と第１機構５４との間に位置する操作部６８を備えている。解除接続ロッド５８は、第２レール２６の長手方向壁２７の長手方向に延びて配置され、第１ブロック部材６６の対応する部分６７に近接して位置している駆動部７０を有する。駆動部７０は、対応する部分６７を介して、第１ブロック部材６６を駆動してこれをブロック位置から移動させるように構成されている。対応する部分６７は突起であってよく、駆動部７０は傾斜面又は円弧状の面を有してよい。しかし本発明はこれに限定されない。
【００１９】
図４に示すように、第２スロット５０は、第１部分５０ａ，及び第１部分５０ａと連通する第２部分５０ｂを備えている。第１部分５０ａ，第２部分５０ｂはＪ字形のスロットである。しかしこのスロットはＵ字形や他の形（例えばＬ字形）であってもよい。本発明はこれに限定されない。連動部６２は、弾性部材６０の弾性力に応答して第２レール２６の第２スロット５０の一方の側部を非開放状態にする（ｂｌｏｃｋ）ように構成されている。この構成は、載せる物品２０の第２取り付け部５２ｂが、第２スロット５０の開口５０ｃから第１部分５０ａにはいって第２部分５０ｂに挿入されたときに、連動部６２は、第２スロット５０の第１部分５０ａ，第２部分５０ｂのうち一方の一つの側部を（第２スロット５０の第２部分５０ｂの一部を非開放状態にするなどして）非開放状態にするように構成される。従って、載せる物品２０の第２取り付け部５２ｂは、連動部６２が非開放状態にすることによって第２スロット５０から自由に遠ざかって移動することができない。
【００２０】
図５に示すように、連動部６２は、第２レール２６の第２スロット５０から遠ざかって第１経路Ｐ１で移動するように回転可能に操作される。言い換えれば、連動部６２は、第２レール２６の第２スロット５０を非開放状態にせずに第１経路Ｐ１で移動するように操作可能である。従って載せる物品２０の第２取り付け部５２ｂは、第２スロット５０の開口５０ｃからさらに遠ざかって移動されるように第２部分５０ｂから第１部分５０ａへ移動可能であり、これにより載せる物品２０を第２レール２６から取り外す。
【００２１】
さらに、連動部６２が第１経路Ｐ１で、第２レール２６の第２スロット５０から遠ざかって移動する過程の間に、連動部６２は解除接続ロッド５８と干渉することが防止され、又は少なくとも、部分的に解除接続ロッド５８を横切る（ｃｒｏｓｓ）ことができる。従って、連動部６２は第１経路Ｐ１で解除接続ロッド５８にブロックされない（阻止されない）。例えば、解除接続ロッド５８はノッチ７２を有し、連動部６２は凹部７４を有する。連動部６２が第１経路Ｐ１で、第２レール２６の第２スロット５０の側部から移動する過程の間に、連動部６２は凹部７４，ノッチ７２の配置によって解除接続ロッド５８と干渉することが防止される。他の実施形態では連動部６２は、凹部７４，ノッチ７２の配置によって解除接続ロッド５８と干渉することが防止できる。例えば、解除接続ロッド５８，連動部６２のうち一方がノッチ７２を有する。連動部６２が第１経路Ｐ１で移動する過程の間に、連動部６２はノッチ７２の配置によって解除接続ロッド５８と干渉することが防止される。あるいは、解除接続ロッド５８，連動部６２のうち一つが凹部７４を備えている。連動部６２が第１経路Ｐ１で移動する過程の間に、連動部６２は凹部７４の配置によって解除接続ロッド５８と干渉することが防止される。
【００２２】
図６に示すように、スライドレール組立体２２は後退位置にある。この第２レール２６は、第１レール２４と第３レール２８とに対して後退位置Ｒにある。他方、載せる物品２０の第１取り付け部５２ａ，第２取り付け部５２ｂ，第３取り付け部５２ｃはそれぞれ、第２レール２６の第１スロット４８，第２スロット５０，第３スロット５１に対応して取り付けられている。載せる物品２０の第２取り付け部５２ｂが第２スロット５０の第２部分５０ｂに取り付けられる過程の間に、連動部６２は載せる物品２０の第２取り付け部５２ｂに押されて回転する。この間、第１機構５４の弾性部材６０は弾性力（さらに図５参照）を蓄積する。載せる物品２０の第２取り付け部５２ｂが第２スロット５０の第２部分５０ｂに移動したときに、弾性部材６０は弾性力を解放させるので、連動部６２は第２スロット５０の第１部分５０ａ，第２部分５０ｂのうち一つを非開放状態にするようになっている。これにより、載せる物品２０の第２取り付け部５２ｂが第２スロット５０の第１部分５０ａに向けて第２部分５０ｂから外れることを防止する。さらに第１ブロック部材６６は、第１弾性部分６４の弾性力に応答してブロック位置Ｌ１で保持される。第２ブロック部材７６は、第２弾性部分７８の弾性力に応答して所定位置で保持される。
【００２３】
図７に示すように、第１レール２４，第２レール２６が、第１方向Ｄ１に後退位置Ｒから所定距離だけ第３レール２８に対して移動したときに、第１ブロック部材６６はブロック位置Ｌ１で第１レール２４のブロック部分３４と接触するように構成されている。
【００２４】
図８に示すように、第２レール２６が第１レール２４に対してさらに第１方向Ｄ１に移動したときに、第１ブロック部材６６は第１レール２４のブロック部分３４によってブロック位置Ｌ１から変位し、別の位置Ｌ２になっていて、これにより第１ブロック部材６６は第１方向Ｄ１で第１レール２４のブロック部分３４を横切るようにされる。この間、第１弾性部分６４は弾性力を蓄積している。
【００２５】
図９に示すように、第２レール２６が第１レール２４に対して第１方向Ｄ１にさらに伸長位置Ｅへ移動したときに、第１ブロック部材６６は第１レール２４のブロック部分３４を既に横切っている。この第１ブロック部材６６は、第１弾性部分６４の弾性力に応答してブロック位置Ｌ１に復帰する。第１ブロック部材６６がブロック位置Ｌ１にあるときには、第１ブロック部材６６は第１レール２４のブロック部分３４の第１側部に対応している。他方、第２ブロック部材７６は所定位置にあって、第１レール２４のブロック部分３４の第２側部に対応している。つまり、第２レール２６は第１レール２４に対して伸長位置Ｅに保持することができる。例えば、第１ブロック部材６６がブロック位置Ｌ１にあって第１レール２４のブロック部分３４の第１側部に対応しているときには、第２レール２６は一つの方向（例えば、第１方向Ｄ１と逆の第２方向Ｄ２）で第１レール２４に対して伸長位置Ｅから移動することができない。
【００２６】
さらに、第２ブロック部材７６が第２レール２６の長手方向壁２７に対して揺動するため、第２ブロック部材７６はその所定位置から移動するように操作されることができる。この第２ブロック部材７６は、手動で操作してもよいが、また別の解除接続ロッド５８を介して操作してもよい。第２ブロック部材７６が所定位置から移動したときに、第２レール２６は第１レール２４から取り外しできる。
【００２７】
図１０に示すように、第２レール２６が第２方向Ｄ２に第１レール２４から後退しようとしたときに、ユーザーは、第１ブロック部材６６を駆動するために第２経路Ｐ２に沿って解除接続ロッド５８を移動させるように操作部６８を操作することができる。第１ブロック部材６６は、駆動部７０及び対応する部分６７の配置によって第１レール２４のブロック部分３４にもはや対応しないようにブロック位置Ｌ１から離れて移動する。言い換えれば、第２レール２６は第２方向Ｄ２に伸長位置Ｅから第１レール２４に対して後退することができる。その第２経路Ｐ２の方向（例えば長手方向）は、第１経路Ｐ１の方向（例えば回転方向）とは異なっている。
【００２８】
さらに本実施形態では、解除接続ロッド５８の操作部６８は、第２レール２６の第１端４０と第１機構５４との間に位置する。操作部６８は、ユーザーが解除接続ロッド５８を容易に操作できるように、第２レール２６の第１端４０（例えば前端）に近接して配置されている。これによって第２レール２６又は載せる物品２０のメンテナンスを容易にする。
【００２９】
図１１，１２に示すように、スライドレール組立体２２は伸長状態にある。この第２レール２６は第１レール２４に対して伸長位置Ｅにあり、載せる物品２０が第２レール２６に取り付けられている。第１機構５４の連動部６２が第２スロット５０の第１部分５０ａ，第２部分５０ｂの一方を非開放状態にしたときに、載せる物品２０の第１方向Ｄ１での第２レール２６に対する移動は連動部６２に規制される。これにより、載せる物品２０は第２レール２６から取り外すことはできない。
【００３０】
図１３，１４に示すように、連動部６２が操作されて第２レール２６の第２スロット５０から移動したときに、載せる物品２０の第２取り付け部５２ｂは第２スロット５０の第１部分５０ａに向けて第２部分５０ｂから遠ざかって移動することができ、これにより載せる物品２０を第２レール２６から取り外す。この第２取り付け部５２ｂが第２スロット５０から遠ざかって移動したときに、連動部６２は、弾性部材６０の弾性力に応答して再び第２レール２６の第２スロット５０に向けて部分的に伸長される構造となっている。
【００３１】
従って、本発明のスライドレール組立体及びスライドレールキットは下記のことを特色とする。
【００３２】
１：解除接続ロッド５８の操作部６８は第２レール２６の第１端４０と第１機構５４との間に位置し、操作部６８は第２レール２６の第１端４０（例えば前端）に近接して配置されている。これによりユーザーが解除接続ロッド５８を容易に操作することが可能になり、第２レール２６又は載せる物品２０のメンテナンスを簡単にする。
【００３３】
２：連動部６２は解除接続ロッド５８に近接して位置している。連動部６２が第２レール２６の第２スロット５０から遠ざかって移動するように操作される過程の間に、連動部６２は、解除接続ロッド５８と干渉することが防止されているので、連動部６２は、第１経路Ｐ１（回転方向となっている）で解除接続ロッド５８によってブロックされない。
【００３４】
当業者であれば、本発明の教示に従いつつ、装置及び方法のさまざまな改変及び変更を行うことができることが容易に理解されることである。従って、上記の開示は、添付の請求項で規定される範囲によって限定されると解釈されることとする。
【図１】
2019195608.tif 000003
【図２】
2019195608.tif 000004
【図３】
2019195608.tif 000005
【図４】
2019195608.tif 000006
【図５】
2019195608.tif 000007
【図６】
2019195608.tif 000008
【図７】
2019195608.tif 000009
【図８】
2019195608.tif 000010
【図９】
2019195608.tif 000011
【図１０】
2019195608.tif 000012
【図１１】
2019195608.tif 000013
【図１２】
2019195608.tif 000014
【図１３】
2019195608.tif 000015
【図１４】
2019195608.tif 000016